(57)【要約】【課題】メインボード内の配線パターンを用いて複数の保存媒体とＩ／Ｏコントローラとの間を接続することができるサーバシステム及びストレージシステムを提供する。【解決手段】本発明によるストレージシステムは、サーバと通信を行う通信部と、複数の保存媒体を含む保存部と、前記通信部を介して前記サーバとデータを送受信し、前記送受信されたデータを前記保存部と送受信するＩ／Ｏ制御部と、が配置され、配線パターンを用いて前記保存部と前記Ｉ／Ｏ制御部との間のデータを送受信するボード部を有する。【選択図】図１
2015084222.tif 000002
【特許請求の範囲】
【請求項１】
サーバと接続可能なストレージシステムにおいて、
前記サーバと通信を行う通信部と、
複数の保存媒体を含む保存部と、
前記通信部を介して前記サーバとデータを送受信し、前記送受信されたデータを前記保存部と送受信するＩ／Ｏ制御部と、が配置され、
配線パターンを用いて前記保存部と前記Ｉ／Ｏ制御部との間のデータを送受信するボード部を有することを特徴とするストレージシステム。
【請求項２】
前記Ｉ／Ｏ制御部は、
前記サーバが前記複数の保存媒体の保存空間を共有して利用できるように制御することを特徴とする請求項１に記載のストレージシステム。
【請求項３】
前記サーバと前記Ｉ／Ｏ制御部との間でデータ及び制御命令を送受信する第１インターフェースバスと、
前記Ｉ／Ｏ制御部と前記複数の保存媒体との間でデータ及び制御命令を送受信する第２インターフェースバスと
を更に有し、
前記第２インターフェースバスは、
ＳＡＳ（Ｓｅｒｉａｌ  Ａｔｔａｃｈｅｄ  ＳＣＳＩ）、ＳＡＴＡ（Ｓｅｒｉａｌ  ＡＴＡ）及びＮＶＭｅ（Ｎｏｎ  Ｖｏｌａｔｉｌｅ  Ｍｅｍｏｒｙ  ｅｘｐｒｅｓｓ）のうち、少なくとも１つのインターフェースバスであることを特徴とする請求項１に記載のストレージシステム。
【請求項４】
前記第１インターフェースバスは、
ＰＣＩ  Ｅｘｐｒｅｓｓインターフェースバスであることを特徴とする請求項３に記載のストレージシステム。
【請求項５】
前記ボード部に配置され、前記保存部または前記Ｉ／Ｏ制御部から送信される信号に対してディエンファシス（Ｄｅ−ｅｍｐｈａｓｉｓ）処理を行い、前記保存部または前記Ｉ／Ｏ制御部で受信される信号に対してイコライザー処理を行う信号処理部を更に有することを特徴とする請求項１に記載のストレージシステム。
【請求項６】
前記ボード部は、前記Ｉ／Ｏ制御部と接続されるためのスロットを含み、
前記Ｉ／Ｏ制御部は、前記スロットに装着脱が可能であることを特徴とする請求項１に記載のストレージシステム。
【請求項７】
前記スロットは、
前記通信部と前記Ｉ／Ｏ制御部との間の信号を送受信するための第１スロットと、
前記Ｉ／Ｏ制御部と前記複数の保存媒体との間の信号を送受信するための第２スロットと
を含むことを特徴とする請求項６に記載のストレージシステム。
【請求項８】
前記第１スロット及び第２スロットは、連続するように配置されることを特徴とする請求項７に記載のストレージシステム。
【請求項９】
前記第１スロット及び第２スロットは、相互離隔して配置され、
前記第２スロットは、ＰＣＩ  Ｅｘｐｒｅｓｓインターフェースのピン配置規格を有することを特徴とする請求項７に記載のストレージシステム。
【請求項１０】
前記ボード部は、前記複数の保存媒体と接続するための複数の第３スロットを含み、
前記複数の保存媒体のそれぞれは、前記第３スロットに装着脱が可能であることを特徴とする請求項１に記載のストレージシステム。
【請求項１１】
前記複数の保存媒体のそれぞれは、前記ボード部と垂直方向に配置されるサブボードを通じて前記第３スロットに装着脱が可能であることを特徴とする請求項１０に記載のストレージシステム。
【請求項１２】
前記サブボードは、２つの前記保存媒体を接続するための２つの第４スロットを含むことを特徴とする請求項１１に記載のストレージシステム。
【請求項１３】
２つの前記保存媒体と前記サブボードとを前記ボード部に固定させる複数のブラケット（ｂｒａｃｋｅｔ）を更に含むことを特徴とする請求項１２に記載のストレージシステム。
【請求項１４】
前記ストレージシステムの状態情報を用いて、前記ストレージシステムに対するＩＰＭＩサービスを提供するＢＭＣ部を更に有することを特徴とする請求項１に記載のストレージシステム。
【請求項１５】
前記複数の保存媒体の状態情報及び前記ストレージシステムの内部の状態情報を収集してモジュール管理部に提供し、前記モジュール管理部で提供される制御命令に応じて、前記ストレージシステムの動作状態を制御するマイコン部を更に有することを特徴とする請求項１４に記載のストレージシステム。
【発明の詳細な説明】
【技術分野】
【０００１】
本発明は、サーバシステム及びストレージシステムに関し、より詳細には、メインボード内の配線パターンを用いて複数の保存媒体とＩ／Ｏ制御部との間を接続するためのサーバシステム及びストレージシステムに関する。
【背景技術】
【０００２】
近年、高速インターネット及びイントラネット技術の発達により、大量のデータを高速で処理することができるサーバ技術が要求されてきた。それにより、ラックマウント型クラスタサーバ技術が登場したが、体積が大きく、電力消費量も大きく増加するという問題があり、各サーバモジュールをケーブルで接続しなければならないということで、システム拡張に限界があった。
よって、最近はプロセッサモジュールを利用するマイクロサーバが利用されている。プロセッサモジュールとは、ラックマウント型サーバのように、サーバを積み上げずに、マイクロサーバシステムの本体に嵌め込み動作させる薄く且つモジュール化した増設品サーバを意味する。狭い空間で多くのサーバを挿入、設置することができるという観点から高密度サーバとも呼ばれ、１つ以上のＣＰＵ（Ｃｅｎｔｒａｌ  Ｐｒｏｃｅｓｓｉｎｇ  Ｕｎｉｔ）、記憶装置、オペレーティングシステム等、サーバの中核要素を内蔵し、本体から電源、入出力、付随装置及び各種制御機能のサポートを受けてサーバとしての機能を担う。
【０００３】
一方、最近のサーバは、自身の保存空間を利用するよりは、外部のストレージシステムの保存空間を利用する傾向にある。このような点において、高密度でデータを保存することができるストレージシステムが求められるようになった。
しかし、従来のストレージシステムは、保存媒体とＩ／Ｏカードとの間にケーブルを通じて接続が行われたことから、システム接続が複雑になる問題点があり、ケーブルによってシステムの空気流動が詰まり、放熱が上手くいかないという短所があった。更に、最近のストレージシステムは多くの保存媒体を装着して集積度を高める傾向にあるということで、上述の問題点はより重要化するようになった。
【先行技術文献】
【特許文献】
【０００４】
【特許文献１】特開第２００７−２８０３５３号公報
【特許文献２】韓国特許出願公開第２００２−００８３８６２号明細書
【特許文献３】韓国特許出願公開第２００３−００３６３６４号明細書
【特許文献４】米国特許出願公開第０９／２４９５０６号明細書
【発明の概要】
【発明が解決しようとする課題】
【０００５】
本発明は、上記従来のストレージシステムにおける問題点に鑑みてなされたものであって、本発明の目的は、メインボード内の配線パターンを用いて複数の保存媒体とＩ／Ｏコントローラとの間を接続することができるサーバシステム及びストレージシステムを提供することにある。
【課題を解決するための手段】
【０００６】
上述の目的を達成するためになされた本発明の一実施形態に係るストレージシステムは、サーバと通信を行う通信部と、複数の保存媒体を含む保存部と、前記通信部を介して前記サーバとデータを送受信し、前記送受信されたデータを前記保存部と送受信するＩ／Ｏ制御部と、が配置され、配線パターンを用いて前記保存部と前記Ｉ／Ｏ制御部との間のデータを送受信するボード部を有する。
【０００７】
この場合、前記Ｉ／Ｏ制御部は、前記サーバが前記複数の保存媒体の保存空間を共有して利用できるように制御することが好ましい。
一方、本ストレージシステムは、前記サーバと前記Ｉ／Ｏ制御部との間でデータ及び制御命令を送受信する第１インターフェースバスと、前記Ｉ／Ｏ制御部と前記複数の保存媒体との間でデータ及び制御命令を送受信する第２インターフェースバスとを更に有し、前記第２インターフェースバスは、ＳＡＳ（Ｓｅｒｉａｌ  Ａｔｔａｃｈｅｄ  ＳＣＳＩ）、ＳＡＴＡ（Ｓｅｒｉａｌ  ＡＴＡ）及びＮＶＭｅ（Ｎｏｎ  Ｖｏｌａｔｉｌｅ  Ｍｅｍｏｒｙ  ｅｘｐｒｅｓｓ）のうち、少なくとも１つのインターフェースバスであることが好ましい。
この場合、前記第１インターフェースバスは、ＰＣＩ  Ｅｘｐｒｅｓｓインターフェースバスであることが好ましい。
【０００８】
一方、本ストレージシステムは、前記ボード部に配置され、前記保存部または前記Ｉ／Ｏ制御部から送信される信号に対してディエンファシス（Ｄｅ−ｅｍｐｈａｓｉｓ）処理を行い、前記保存部または前記Ｉ／Ｏ制御部で受信される信号に対してイコライザー処理を行う信号処理部を更に有することが好ましい。
一方、前記ボード部は、前記Ｉ／Ｏ制御部と接続されるためのスロットを含み、前記Ｉ／Ｏ制御部は、前記スロットに装着脱が可能であることが好ましい。
この場合、前記スロットは、前記通信部と前記Ｉ／Ｏ制御部との間の信号を送受信するための第１スロットと、前記Ｉ／Ｏ制御部と前記複数の保存媒体との間の信号を送受信するための第２スロットとを含むことが好ましい。
【０００９】
この場合、前記第１スロット及び第２スロットは、連続するように配置されることが好ましい。
一方、前記第１スロット及び第２スロットは、相互離隔して配置され、前記第２スロットは、ＰＣＩ  Ｅｘｐｒｅｓｓインターフェースのピン配置規格を有することが好ましい。
一方、前記ボード部は、前記複数の保存媒体と接続するための複数の第３スロットを含み、前記複数の保存媒体のそれぞれは、前記第３スロットに装着脱が可能であることが好ましい。
【００１０】
この場合、前記複数の保存媒体のそれぞれは、前記ボード部と垂直方向に配置されるサブボードを通じて前記第３スロットに装着脱が可能であることが好ましい。
この場合、前記サブボードは、２つの前記保存媒体を接続するための２つの第４スロットを含むことが好ましい。
この場合、２つの保存媒体と前記サブボードとを前記ボード部に固定させる複数のブラケット（ｂｒａｃｋｅｔ）を更に含むことが好ましい。
【００１１】
一方、本ストレージシステムは、前記ストレージシステムの状態情報を用いて、前記ストレージシステムに対するＩＰＭＩサービスを提供するＢＭＣ部を更に有することが好ましい。
この場合、前記複数の保存媒体の状態情報及び前記ストレージシステムの内部の状態情報を収集してモジュール管理部に提供し、前記モジュール管理部で提供される制御命令に応じて、前記ストレージシステムの動作状態を制御するマイコン部を更に有することが好ましい。
【発明の効果】
【００１２】
以上説明したように、本発明に係るストレージシステムによれば、ストレージシステムはケーブルを利用することなく保存媒体とＩ／Ｏ制御部とを接続するため、ストレージシステム内の接続構造を単純化することができる。よって、多くの保存媒体を配置することが可能になる。また、Ｉ／Ｏ制御部がスロットを通じて装着脱が可能であるため、システムのアップグレードの際に、Ｉ／Ｏ制御部の交換のみで手軽にアップグレードを行うことができるようになる。さらに、ケーブルなしに接続するため構造が単純化され、システムのクーリング効果が改善できるようになる。
【図面の簡単な説明】
【００１３】
【図１】本発明の一実施形態によるサーバシステムの構成を示すブロック図である。
【図２】図１のストレージシステムの構成を示すブロック図である。
【図３】図２の保存部１６０とＩ／Ｏ制御部１７０との間の接続状態を説明するための図である。
【図４】図１のストレージシステムの形状を示す斜視図である。
【図５】図２のボード部の形状を示す斜視図である。
【図６】図２のボード部の形状を示す平面図である。
【図７】Ｉ／Ｏ制御部とボード部との接続方式を具体的に示す図である。
【図８】図２のＩ／Ｏ制御部の形状を示す図である。
【図９】本実施形態による保存モジュールを示す図である。
【図１０】ＢＭＣ部、マイコン部、及びセンサ部の間の接続方式を説明するための図である。
【図１１】補助コネクタ部を説明するための図である。
【図１２】本実施形態による信号処理部を説明するための図である。
【図１３】本ストレージシステムの空気の流れのシミュレーション結果を示す図である。
【図１４】本ストレージシステムの発熱シミュレーション結果を示す図である。
【図１５】従来のストレージシステムの発熱シミュレーション結果を示す図である。
【発明を実施するための形態】
【００１４】
以下に添付図面を参照しながら、本発明の好適な実施形態について詳細に説明する。
図１は、本発明の一実施形態によるサーバシステムの構成を示すブロック図である。
図１に示すように、本実施形態によるサーバシステム１０００は、サーバ１０及びストレージシステム１００で構成される。
【００１５】
サーバ１０は、複数のプロセッサモジュールを用いて他のコンピュータサービスを提供するコンピュータシステムである。ここで、プロセッサモジュールとは、ラックマウント型サーバのように、サーバを積み上げずに、マイクロサーバシステムの本体に嵌め込み動作させる薄く且つモジュール化した増設品サーバを意味する。狭い空間で多くのサーバを挿入、設置することができるという観点から高密度サーバとも呼ばれ、１つ以上のＣＰＵ（Ｃｅｎｔｒａｌ  Ｐｒｏｃｅｓｓｉｎｇ  Ｕｎｉｔ）、記憶装置、オペレーティングシステム等、サーバの中核要素を内蔵し、本体から電源、入出力、付随装置及び各種制御機能のサポートを受けてサーバとしての機能を担う。
そして、サーバ１０は、ストレージシステム１００に保存されたデータを利用して外部から要請された作業を行う。
【００１６】
ストレージシステム１００は、複数の保存媒体及び「複数の保存媒体に保存されたデータをサーバ１０に提供するＩ／Ｏ制御部」を含む。そして、ストレージシステム１００は、ケーブルを利用せずに、回路基板上の配線パターンを用いて保存媒体とＩ／Ｏ制御部との間のデータを送受信する。ストレージシステム１００の具体的な構成及び動作については、図２を参照して以下で説明する。
【００１７】
一方、図１を説明するうえで、ストレージシステム１００が１つのサーバ１０と接続されるものとして説明しているが、実現時にストレージシステム１００は複数のサーバと接続されてよい。なお、ストレージシステム１００は、サービスを処理するサーバだけでなく、遠隔地からサーバまたはストレージシステムを管理する管理サーバ（図示せず）とも接続されてよい。
【００１８】
図２は、図１のストレージシステムの構成を示すブロック図である。
図２に示すように、本実施形態によるストレージシステム１００は、ボード部１１０、電源部１２０、通信部１３０、センサ部１４０、ファン部１５０、保存部１６０、Ｉ／Ｏ制御部１７０、マイコン部１８０、及びＢＭＣ部１９０で構成される。このようなストレージシステム１００は、１９インチ標準ラックに設置可能なサイズ（１９”×３９”）を有してよい。
【００１９】
ボード部１１０は、ストレージシステム１００の各種構成要素が配置されるＰＣＢ（Ｐｒｉｎｔｅｄ  Ｃｉｒｃｕｉｔ  Ｂｏａｒｄ）である。ここで、ボード部１１０は、両面に導電性層を有する両面ＰＣＢ基板であってよく、配線パターン用のレイヤが内部に埋め込まれている多層ＰＣＢ基板であってよい。ボード部１１０は、標準サーバサイズ（２Ｕ）に装着可能なサイズ（例えば、１６．３”×３２．６”）を有してよい。
ボード部１１０は、ストレージシステム１００内の各構成要素と物理的／電気的に接続されるためのスロットを含む。具体的に、ボード部１１０は、電源スロット１１１、通信コネクタ１１２、換気コネクタ１１３、ストレージスロット１１４、補助コネクタ１１５、及びＩ／Ｏスロット１１６等を含んでよい。各スロットの機能及び動作については、図５及び図６を参照して後述する。
【００２０】
さらに、ボード部１１０は、ストレージシステム１００内の各構成要素間で信号を伝達するための回路基板上（すなわち、ＰＣＢ）の配線パターンを含む。具体的に、ボード部１１０は、保存部１６０とＩ／Ｏ制御部１７０との間の信号を伝達する第１配線パターン、及びＩ／Ｏ制御部１７０と通信部１３０との間の信号を伝達する第２配線パターンを含んでよい。
以上では、第１配線パターン及び第２配線パターンのみについて説明したが、マイコンとＢＭＣとの間の信号伝達のための配線パターン、ＢＭＣとＩ／Ｏ制御部との間の信号伝達のための配線パターン、マイコンとセンサ部との間の信号伝達のための配線パターン等が更に配置されてよい。このような配線パターンは、基板の上面及び／または下面に配置されてよく、場合によっては、ＰＣＢ基板の内部レイヤに配置されてよい。
【００２１】
ボード部１１０は、電源部１２０を介して電源を受信し、受信した電源をストレージシステム１００内の各構成要素に回路基板上の配線パターンを通じて提供する。
また、ボード部１１０は、信号伝達の間に発生し得る信号の歪曲を防止するための信号処理部（１０６、１０７）を備えることができる。信号処理部（１０６、１０７）については、図１２を参照して後述する。
【００２２】
電源部１２０は、ストレージシステム１００内の各構成要素に電源を供給する。具体的に、電源部１２０は、ストレージシステム１００に要求される最大電力容量より過剰な電力容量を有するように、複数のパワーサプライを備えることができる。そして、電源部１２０は、複数のパワーサプライを電流共有方式で駆動し、ストレージシステム１００内の各構成要素に電源を供給することができる。また、電源部１２０は、ストレージシステム１００の負荷の大きさに応じて、複数のパワーサプライのうちの一部のみを用いてストレージシステム１００に電源を供給することができる。
電源部１２０は、ボード部１１０に形成されたスロットを通じて装着脱が可能である。そのスロットを通じ、電源部１２０は、ＡＣ接続有無、ＰＳＵの装着有無、エラー有無、入／出力電流／電圧、温度情報をＢＭＣ部１９０に提供することができる。
【００２３】
通信部１３０は、サーバ１０と通信を行う。具体的に、通信部１３０は、ＰＣＩ  Ｅｘｐｒｅｓｓインターフェース方式でサーバ１０と通信を行うことができる。ここで、本実施形態において、ＰＣＩ  Ｅｘｐｒｅｓｓインターフェース方式でサーバ１０と通信するものとして説明したが、実現時には他のインターフェース方式で通信を行うことができる。
例えば、ストレージシステム１００がＮＡＳ（Ｎｅｔｗｏｒｋ  Ａｔｔａｃｈ  Ｓｔｏｒａｇｅ）方式で動作すると、通信部１３０はネットワークコントローラ及びＬＡＮポートを備え、イーサネット（登録商標）（Ｅｔｈｅｒｎｅｔ（登録商標））方式でサーバ１０と通信することができる。
ストレージシステム１００がＤＡＳ（Ｄｉｒｅｃｔ  Ａｔｔａｃｈｅｄ  Ｓｔｏｒａｇｅ）方式で動作すると、通信部１３０は、サーバ１０とＳＡＳ、ＳＡＴＡまたはＮＶＭｅ（Ｎｏｎ  Ｖｏｌａｔｉｌｅ  Ｍｅｍｏｒｙ  ｅｘｐｒｅｓｓ）方式で通信を行うことができる。
【００２４】
また、ストレージシステム１００がＳＡＮ（Ｓｔｏｒａｇｅ  Ａｒｅａ  Ｎｅｔｗｏｒｋ）方式で動作すると、通信部１３０は、サーバ１０と光チャネル（ｆｉｂｅｒ  ｃｈａｎｎｅｌ）で通信することができる。
通信部１３０は、管理サーバ（図示せず）と通信を行う。具体的に、通信部１３０は、ネットワークコントローラ及びＬＡＮポートを含み、ＢＭＣ部１９０が管理サーバ（図示せず）と通信を行うことができるようにする。ここで、通信部１３０は、サーバ１０のサービスを行うネットワークチャネルと分離したサーバ管理用のネットワークチャネルＯＯＢ（Ｏｕｔ  ｏｆ  ｂａｎｄ）を通じて管理サーバ（図示せず）と通信を行うことができる。
【００２５】
本実施形態においては、有線のＬＡＮポートを通じて管理サーバ（図示せず）と通信を行うものとして説明したが、ＬＡＮ方式以外の他の有線通信方式だけでなく、無線通信方式で管理サーバ（図示せず）と通信を行う形態でも実現されてよい。なお、本実施形態においては、サーバ１０と管理サーバ（図示せず）とが異なる構成であるものとして説明したが、実現時にサーバ１０が管理サーバの機能を同時に行うこともできる。
センサ部１４０は、ストレージシステムの内部に配置された複数のセンサを含み、センサで検知されたセンシング値はマイコン部１８０に提供されてよい。ここで、センサは温度センサであってよいが、それに限定されるものではない。一方、マイコン部１８０が複数のマイコンで構成される場合、複数のセンサはマイコン数に対応するグループに区分され、区分された各グループは対応するマイコンにセンシング値を伝達することができる。
【００２６】
ファン部１５０は、ストレージシステム１００の内部に空気を流入させる。具体的に、ファン部１５０はストレージシステム１００の前面に配置され、外部の空気をストレージシステム１００の内部に流入させてストレージシステム１００をクーリングすることができる。このようなファン部１５０の動作は、後述のマイコン部１８０によって制御されてよい。
保存部１６０は、Ｉ／Ｏ制御部１７０の制御により伝達されるデータを保存したり、保存されたデータをＩ／Ｏ制御部１７０に提供することができる。具体的に、保存部１６０は複数の保存媒体で構成され、保存媒体は、ＨＤＤ（ｈａｒｄ  ｄｉｓｋ  ｄｒｉｖｅ）またはＳＳＤ（Ｓｏｌｉｄ  Ｓｔａｔｅ  Ｄｉｓｋ）であってよい。一方、実現時に、保存部１６０は複数のＨＤＤだけで構成したり、複数のＳＳＤで構成できるだけでなく、ＨＤＤとＳＳＤの混合で実現してもよい。
【００２７】
一方、Ｉ／Ｏ制御部１７０が複数のＩ／Ｏ制御部で構成される場合、複数の保存媒体はＩ／Ｏ制御部の数に対応するグループに区分され、区分された各グループは対応するＩ／Ｏ制御部とデータを送受信することができる。例えば、本実施形態では、９６の保存媒体がストレージシステム１００に配置されてよく、２つのＩ／Ｏ制御部がそれぞれ４８の保存媒体とデータを送受信することができる。
保存部１６０を構成する複数の保存媒体のそれぞれは、ボード部１１０に形成されたスロットを通じて装着脱が可能である。保存媒体とボード部１１０との間の接続方式については、図９を参照して後述する。
【００２８】
Ｉ／Ｏ制御部１７０（または、Ｉ／Ｏ  ａｄａｐｔｅｒ）は、通信部１３０を介してサーバ１０とデータを送受信し、送受信されたデータを保存部１６０との間で送受信する。具体的に、Ｉ／Ｏ制御部１７０は、サーバ１０が複数の保存媒体の保存空間を共有して利用するようにすることができる。実現時には、複数のサーバ１０が複数の保存媒体の保存空間を利用するようにすることができる。
Ｉ／Ｏ制御部１７０は、ボード部１１０に形成されたスロットを通じて装着脱が可能である。具体的に、Ｉ／Ｏ制御部１７０とボード部１１０との間の接続方式については、図７及び図８を参照して後述する。
【００２９】
Ｉ／Ｏ制御部１７０は、Ｉ／Ｏ仮想化をサポートすることができる。この場合、ボード部１１０は、Ｉ／Ｏ制御部１７０と接続されるスロット上にスイッチを備え、スイッチを用いてＩ／Ｏ制御部１７０と複数の保存媒体を選択的に接続することができる。このようなスイッチは、Ｉ／Ｏ仮想化技術を通じて実現することができる。ここで、Ｉ／Ｏ仮想化技術とは、１つのＩ／Ｏ技術を数台のプロセッサが同時に使用する技術を意味する。
Ｉ／Ｏ制御部１７０は、ＲＡＩＤ（Ｒｅｄｕｎｄａｎｔ  Ａｒｒａｙ  ｏｆ  Ｉｎｄｅｐｅｎｄｅｎｔ  Ｄｉｓｋｓ）の機能をサポートすることができる。ここで、ＲＡＩＤとは、数個の保存媒体を１つの保存媒体のように使用して一部の重複するデータを分けて保存する技術である。
【００３０】
Ｉ／Ｏ制御部１７０は、保存媒体またはサーバに伝送される信号に対してディエンファシス処理を行い、保存媒体またはサーバから受信される信号に対してはイコライザ処理を行うことができる。
具体的に、シリアルバスは、１度に１つのビット単位でデータを伝送するインターフェースを意味し、最近のシリアルバスは高速で動作するという点で、ＩＳＩ（Ｉｎｔｅｒ−ｓｙｍｂｏｌ−Ｉｎｔｅｒｆｅｒｅｎｃｅ、または符号間干渉）、表皮効果（Ｓｋｉｎ−Ｅｆｆｅｃｔ、または電波効果）、誘電損失（ｅｌｅｃｔｒｉｃ  ｌｏｓｓ）等が発生する。ここで、表皮効果は、伝導性の強い物質に交流電流が流れる際、観察される伝導度の減少または電気抵抗の増加現象を意味し、誘電損失は、誘電体に交流電界を加えた際に生じる損失である。そして、ＩＳＩは、伝送路や増幅器による帯域制限や伝送路の位相特性の非直線性により、或るタイムスロットのシンボル波形が他のタイムスロットのシンボル波形に影響を及ぼす干渉を意味する。
【００３１】
このようなＩＳＩは、ディエンファシス（Ｄｅ−ｅｍｐｈａｓｉｓ）技術またはイコライザ（ｅｑｕａｌｉｚｅｒ）技術を用いて、補正を行うことができる。具体的に、シリアルバスの送信端（例えば、保存媒体の出力端（Ｔｘ）、Ｉ／Ｏ制御部の出力端）では、ディエンファシス技術を用いてＩＳＩの影響を考慮して信号を伝送し、シリアルバスの受信端（例えば、保存媒体の受信端（Ｒｘ）、Ｉ／Ｏ制御部の受信端）では、イコライザ技術を用いて受信された波形を改善することができる。
また、Ｉ／Ｏ制御部１７０は、保存媒体に対するホットスワップをサポートする。ここで、ホットスワップは、運用中のシステム全体の動作には、影響を及ぼさずに、装置や部品を交換することができる機能である。このような機能がサポートされるため、ストレージシステム１００が動作中の場合にも、保存媒体に対する交換／復旧を行うことができる。
【００３２】
Ｉ／Ｏ制御部１７０は、ＨＤＤが保存媒体として利用される場合、ストレージシステムの全電力負荷を軽減するために、各ＨＤＤを順次に駆動するように保存部１６０を制御することができる。具体的に、初期ハードのスピンアップ過程中の電力消費によるシステムの不安定化を防止するために、Ｉ／Ｏ制御部１７０は複数のＨＤＤを順次に駆動させる（Ｓｔａｇｇｅｒｅｄ  ｄｒｉｖｅ  ｓｐｉｎ−ｕｐ）。
Ｉ／Ｏ制御部１７０は、マイクロサーバ２００と保存媒体との間のデータを一時的に保存するメモリを含んでよい。ここで、メモリは、１ＧＢ以上のＲＡＭまたはフラッシュ（ｆｌａｓｈ）メモリであってよい。
【００３３】
マイコン部１８０は、複数の保存媒体の状態情報及びストレージシステムの内部の状態情報を収集してＢＭＣ部１９０に提供する。ここで、保存媒体の状態情報は、ＨＤＤのＳ．Ｍ．Ａ．Ｒ．Ｔ（Ｓｅｌｆ−Ｍｏｎｉｔｏｒｉｎｇ、Ａｎａｌｙｓｉｓ  ａｎｄ  Ｒｅｐｏｒｔｉｎｇ  Ｔｅｃｈｎｏｌｏｇｙ）情報であり、ストレージの内部の状態情報はセンサ部１４０で検知された温度、電源部１２０の電源供給状態等である。そして、Ｓ．Ｍ．Ａ．Ｒ．Ｔ情報は、ヘッドの高さ、データの伝送速度、ディスクＲＰＭ速度、セクタ数、アクセスエラー率、アクセス速度、ハード停止回数等、基本的な機械的な異常を把握し、故障に対する可能性を前もって知らせるＨＤＤの自己診断情報である。
【００３４】
マイコン部１８０は、ＢＭＣ部１９０から提供される命令に応じて、ストレージシステムの内部の動作を制御する。具体的には、ストレージシステム１００内の高い温度値がセンサ部１４０を介して入力されてＢＭＣ部１９０に提供されると、ＢＭＣ部１９０は、ファン部１５０の動作制御命令を送信し、それを受信したマイコン部１８０はファン部１５０を制御することができる。一方、実現時に、マイコン部１８０は複数のマイコンに区分されてよい。
【００３５】
ＢＭＣ部１９０は、ストレージシステムに対するＩＰＭＩ（Ｉｎｔｅｌｌｉｇｅｎｔ  Ｐｌａｔｆｏｒｍ  Ｍａｎａｇｅｍｅｎｔ  Ｉｎｔｅｒｆａｃｅ）サービスを提供する。ＢＭＣ部１９０は、ＢＭＣ（Ｂａｓｅｂｏａｒｄ  ｍａｎａｇｅｍｅｎｔ  ｃｏｎｔｒｏｌｌｅｒ）を含む。ここで、ＢＭＣとは、ＩＰＭＩをサポートするサーバまたはストレージシステムに装着されるマイクロプロセッサとして、マイコン部１８０で収集された情報及び複数の保存媒体から収集された媒体管理情報を管理サーバ（図示せず）に提供し、管理サーバ（図示せず）で提供される制御命令をマイコン部１８０に提供し、システム内の温度及び電力を管理することができる。このとき、ＢＭＣ部１９０は、複数の保存媒体を複数のグループに区分し、グループ別に異なる電源管理及び動作管理を行うことができる。ここで、媒体管理情報は、保存媒体の製造者、容量、速度、エラー内訳、温度、ヘルス（Ｈｅａｌｔｈ）等の情報である。
【００３６】
ここで、ＩＰＭＩは、エンベデッド管理下位システムが通信できる特定方法を定義する開放型標準ハードウェア管理インターフェース規格として、プロセッサモジュールに対するモニタリング（ｍｏｎｉｔｏｒｉｎｇ）、ロギング（ｌｏｇｇｉｎｇ）、リカバリー（ｒｅｃｏｖｅｒｙ）、インベントリ（ｉｎｖｅｎｔｏｒｙ）及びハードウェア制御を行うものである。一方、本実施形態では、１つのＢＭＣ部が複数のマイコンの状態情報を集約して管理サーバに伝送するものとして説明したが、複数のＢＭＣ部を利用する形態も可能である。
【００３７】
ＢＭＣ部１９０は、管理サーバからディスク割り当て要求を受信すると、Ｉ／Ｏ制御部１７０でディスクリソースを割り当てることができる。このとき、ＢＭＣ部１９０とＩ／Ｏ制御部１７０とは、ＳＭＢｕｓインターフェースを通じて接続されてよい。
ここで、ＳＭＢｕｓ（Ｓｙｓｔｅｍ  ｍａｎａｇｅｍｅｎｔ  Ｂｕｓ）インターフェースとは、マザーボードにある低速度装置と通信するのに使用する簡単な２線バスで、クロック、データ、命令を伝達し、Ｉ２Ｃ直列バスプロトコルを基盤とするインターフェースである。
ＢＭＣ部１９０は、保存媒体から受信された媒体管理情報に基づいてそれぞれの保存媒体の負荷によるディスク再設定またはディスク変更を統合管理ソリューションに要求することができる。例えば、ランダムアクセス頻度の高いホスト（サーバ）にアクセス速度の速いＳＳＤリソースを割り当て、書き込み頻度の高いホスト（サーバ）にＨＤＤリソースを割り当てることができる。
【００３８】
以上のように、本実施形態によるストレージシステム１００は、ケーブルを利用することなく保存媒体とＩ／Ｏ制御部とを接続するため、ストレージシステム内の接続構造を単純化することができる。よって、多くの保存媒体を配置することが可能になる。なお、Ｉ／Ｏ制御部がスロットを通じて装着脱が可能であるため、システムのアップグレードの際に、Ｉ／Ｏ制御部の交換のみで手軽にアップグレードを行うことができるようになる。なお、ケーブルなしに接続するため構造が単純化され、システムのクーリング効果が改善できるようになる。
【００３９】
図３は、図２の保存部１６０とＩ／Ｏ制御部１７０との間の接続状態を説明するための図である。
図３を参照すると、保存部１６０は複数の保存媒体で構成される。そして、複数の保存媒体のそれぞれは、複数のグループでグルーピングすることができる。
【００４０】
具体的に、複数の保存媒体で構成される保存部を仮想化して共有するために、複数の保存媒体を複数の領域に区分することができる。区分された領域は、それぞれプライベートブロック（ｐｒｉｖａｔｅ  ｂｌｏｃｋ）と、仮想ブロック（Ｖｉｒｔｕａｌ  ｂｌｏｃｋ）とであってよい。ここで、ｐｒｉｖａｔｅ  ｂｌｏｃｋは、オペレーティングシステムが保存される領域として特定サーバに割り当てられている領域であり、Ｖｉｒｔｕａｌ  ｂｌｏｃｋは、各サーバが共有できる領域である。このような各領域の情報は、マッピングテーブルで管理され、マッピングテーブル（または、マッチングテーブル）は外部の管理サーバが修正することができる。
【００４１】
よって、Ｉ／Ｏ制御部１７０は、各サーバが割り当てられた保存媒体のブロックをマッチングするマッピングテーブルを使用し、保存媒体領域をサーバに割り当てる。
ここで、マッチングテーブル情報は、ＢＭＣ部を介して外部管理サーバで制御可能であり、ＢＭＣ部のＩＰＭＩでは外部管理サーバに保存媒体のフォーマット情報、パーティション情報、ブロック使用情報、インストールされたＯＳ情報等を提供すると、ＨＤＤのパーティション設定、ブロック変更、マッチングブロックの大きさ及び再設定等のサービスを提供することができる。
【００４２】
そして、外部管理サーバで設定されたマッチングテーブルは、Ｓ−ＢＭＣとＴＭＣ（ＣＰＵ  Ｓｙｓｔｅｍ  Ｍａｎａｇｅｍｅｎｔ  Ｃｏｎｔｒｏｌｌｅｒ）を介してＩ／Ｏ制御部１７０とサーバノードに保存されて使用されてよい。具体的に、外部管理サーバで設定されたマッチングテーブルはＳ−ＢＭＣを通じてストレージシステム１００に直接伝達されてよく、サーバに伝達され、サーバでＴＭＣを通じてＩ／Ｏ制御部１７０に伝達されてよい。
【００４３】
図４は、図１のストレージシステムの形状を示す斜視図である。
図４を参照すると、シャーシ１０１は、ストレージシステム１００を包む。このようなシャーシ１０１は、１９インチ標準ラックに設置可能な横及び縦のサイズ（１９”×３．５”×３９”（Ｗ×Ｈ×Ｄ））を有してよい。
シャーシ１０１の前端には外部の空気をストレージシステム１００の内部に供給するファン部１５０が配置される。図示の例では、シャーシ１０１の前端にのみファン部が配置されたものとして示しているが、実現時にはシャーシ１０１の後端及び側面にも配置されてよい。
【００４４】
そして、サーバと通信を行う通信部１３０、電源を供給する電源部１２０はシャーシ１０１の後端に配置される。
図４を説明するうえで、本実施形態によるストレージシステム１００が１９インチ標準ラックに設置される大きさを有するものとして説明したが、実現時には１９インチ標準ラック以外の大きさでも実現されてよい。
【００４５】
図５及び図６は、図２のボード部の形状を示す図で、図５は図２のボード部の形状を示す斜視図であり、図６は図２のボード部の形状を示す平面図である。
図５及び図６を参照すると、ボード部１１０は標準サーバラックに装着可能な長方形状を有し、後端には電源１２０が配置されるように溝が備えられる。
ボード部１１０の上部面及び／または下部面には、ストレージシステム１００内の各構成要素間の信号伝達のための配線パターンが配置されてよい。このような配線パターンは、回路基板内のレイヤにあってよい。
そして、ボード部１１０は、ストレージシステム１００内の各構成要素と電気的／物理的に接続するためのコネクタ／スロットが配置される。具体的に、ボード部１１０は、電源スロット１１１、通信コネクタ１１２、ファンコネクタ１１３、ストレージスロット１１４、補助コネクタ１１５、及びＩ／Ｏコネクタ１１６を含んでよい。
【００４６】
電源スロット１１１は、電源部１２０の各種端子をボード部１１０に物理的／電気的に接続するためのスロットとして設けられ、電源スロット１１１を介して電源部１２０の電源がストレージシステム１００内の各構成要素に伝達される。そして、電源スロット１１１を介して、マイコン部１８０が電源部１２０の動作状態を検知し、電源部１２０の動作を制御することができる。
【００４７】
通信コネクタ１１２は、ストレージシステム１００をサーバ１０と物理的／電気的に接続するためのコネクタとして、サーバと容易な接続のためにボード部１１０の後端側に配置される。このような通信コネクタは、ＰＣＩ  Ｅｘｐｒｅｓｓコネクタであってよい。  本実施形態においては、サーバ１０との接続のための通信コネクタ１１２のみを示して説明しているが、実現時にはイーサネット（登録商標）または管理サーバと接続されるための更なるコネクタが配置されてよい。
【００４８】
ファンコネクタ１１３は、ファン部１５０の各種端子をボード部１１０に物理的／電気的に接続するためのコネクタとして、ファン部１５０との容易な接続のために、ボード部１１０の前端側に配置される。ファンコネクタ１１３は、電源部１２０の電源をファン部１５０に伝達する。ファンコネクタ１１３を介してマイコン部１８０がファン部１５０の動作状態を検知し、ファン部１５０の動作を制御することができる。
ストレージスロット１１４は、保存媒体をボード部１１０に物理的／電気的に接続するためのコネクタとして、ＳＡＴＡコネクタであってよい。ストレージスロット１１４は、電源部１２０の電源を保存媒体に伝達し、保存媒体とＩ／Ｏ制御部１７０との間の入／出力ポートを接続する。
【００４９】
ストレージスロット１１４は、ボード部１１０上に配置されるため、保存媒体は長さ方向（保存媒体の長いほうの面がボード部に対して垂直になる方向）に配置される。このような場合、ストレージシステム１００の高さが保存媒体の長さ方向より高くなることがあり得るため、ストレージシステム１００の高さを減らすために、補助基板を用いて、保存媒体を横方向（保存媒体の２番目に長い長さ）に配置することができる。補助基板を用いる例については、図９を参照して後述する。
本実施形態によるストレージシステム１００は、図４に示すように１９インチ標準ラックの幅に４８のストレージスロットを備えることができ、各スロットは２つの保存媒体と接続が可能である。よって、本実施形態によるストレージシステム１００は、９６の保存媒体を利用することができる。
【００５０】
９６の保存媒体が１つのＩ／Ｏボードを利用する場合、接続に困難が生じ得る本実施形態によるストレージシステム１００は、２つのＩ／Ｏ制御部１７０−１、１７０−２及び２つのマイコンを利用する。本実施形態では、複数の保存媒体を２つのグループに区分しているが、実現時にはグループを区分することなく、１つで実現されてよく、３つ以上のグループに区分して利用することもできる。この場合、区分されたグループ別にＢＭＣを用いて、グループ別に異なる電源制御／動作制御を行うことができる。
【００５１】
補助コネクタ１１５は、従来のＩ／Ｏ制御部との互換性のためのコネクタである。補助コネクタ１１５の機能及び動作については、図１１を参照して後述する。
Ｉ／Ｏコネクタ１１６は、Ｉ／Ｏ制御部１７０をボード部１１０に物理的／電気的に接続するためのスロットであり、第１スロット及び第２スロットで構成されてよい。それについては、図７及び図８を参照して以下に説明する。
【００５２】
図７は、Ｉ／Ｏ制御部１７０とボード部１１０との接続方式を具体的に示す図であり、図８は、図２のＩ／Ｏ制御部１７０の形状を示す図である。
図７及び図８を参照すると、Ｉ／Ｏ制御部１７０はサブボード１６１及びチップ１６２で構成される。
【００５３】
サブボード１６１は、一側に相互離隔して配置された第１スロット１６３及び第２スロット１６４を含む。ここで、第１スロット１６３は、通信部１３０とチップ１６２との間の信号を信号線１６５を通じて送受信し、ＰＣＩ  Ｅｘｐｒｅｓｓインターフェースのピン配置規格を有してよい。このような第１スロット１６３は、第１インターフェースバス方式でサーバとＩ／Ｏ制御部との間のデータ及び制御命令を送受信することができる。第１インターフェースバス方式は、ＰＣＩ  Ｅｘｐｒｅｓｓインターフェースバス方式であってよい。
【００５４】
ここで、ＰＣＩ  Ｅｘｐｒｅｓｓ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）インターフェースとは、従来のＰＣＩ（Ｐｅｒｉｐｈｅｒａｌ  Ｃｏｍｐｏｎｅｎｔ  Ｉｎｔｅｒｃｏｎｎｅｃｔ）並列インターフェースバスとソフトウェア的な互換性を保持し、装置間の高速入出力のための改良した直列構造のローカルバス規格である。ＰＣＩ  Ｅｘｐｒｅｓｓインターフェースは、大容量のデータ処理に適している。
【００５５】
第２スロット１６４は、複数の保存媒体とチップ１６２との間の信号を信号線１６６を通じて送受信し、以下の表１のようなピン配置を有してよい。このような第２スロット１６４は、第２インターフェースバス方式で複数の保存媒体とＩ／Ｏ制御部との間のデータ及び制御命令を送受信することができる。第２インターフェースバス方式は、ＳＡＳ（Ｓｅｒｉａｌ  Ａｔｔａｃｈｅｄ  ＳＣＳＩ）、ＳＡＴＡ（Ｓｅｒｉａｌ  ＡＴＡ）及びＮＶＭｅ（Ｎｏｎ  Ｖｏｌａｔｉｌｅ  Ｍｅｍｏｒｙ  ｅｘｐｒｅｓｓ）方式のうち、少なくとも１つのインターフェースバス方式であってよい。
【００５６】
ここで、ＳＡＳ方式は、直列ＳＣＳＩ（Ｓｅｒｉａｌ  ＳＣＳＩ）の１つの規格として、１ビットずつ順次にデータを伝送することで、データの同期が容易に行われて、高速化が可能なインターフェース方式である。
ＳＡＴＡ方式は、ハードディスク或いは光学ドライブとのデータ伝送を主要な目的として作られたコンピュータバスの一種として、４分岐の信号線（ＴＸ−、ＴＸ＋、ＲＸ−、ＲＸ＋）を用いてデータを送受信する。このため、２４のＳＡＴＡディスクを接続するためには、グラウンドを含み合計１４４のピンが必要になる。各ピンマッピングは、以下の表１のとおりであり、１４４のピンはＰＣＩ  Ｅｘｐｒｅｓｓ×１６用のコネクタ１つで実現が可能である。
ＮＶＭｅ（Ｎｏｎ  Ｖｏｌａｔｉｌｅ  Ｍｅｍｏｒｙ  ｅｘｐｒｅｓｓ）方式は、ＳＳＤのような非揮発性メモリを用いる保存媒体のためのインターフェース方式である。
【００５７】
【表１】
2015084222.tif 000003
2015084222.tif 000004
【００５８】
以上のように、本実施形態によるＩ／Ｏ制御部１７０は、スロットを通じてボード部１１０と接続されるため、システム上でＩ／Ｏ制御部１７０の装着脱が可能である。よって、既存のＩ／Ｏ制御部を改善されたＩ／Ｏ制御部に取り替えるだけで、システムをアップグレードできる効果がある。
尚、図７及び図８を参照して説明するうえで、第１スロットと第２スロットとが相互離隔したものとして説明したが、実現時には離隔していない形態でも実現されてよい。すなわち、物理的に１つのスロットを通じて実現されてよい。
【００５９】
図９は、本実施形態による保存モジュールを示す図である。
図９の（ａ）を参照すると、本実施形態による保存部１６０は２つの保存媒体が１つの保存モジュール１６０−１として構成される。このような保存モジュール１６０−１は相互に予め設定された間隔を有してボード部１１０上に配置される。
１つの保存モジュール１６０−１は、１つのサブボード１６３及びブラケット１６４を介してボード部１１０と接続される。
【００６０】
サブボード１６３は、ボード部１１０のストレージスロットに装着脱が可能であり、保存媒体のコネクタと装着脱が可能な２つのスロットを備える。本実施形態では、サブボード１６３に２つのスロットが備えるものとして説明したが、実現時には１つのスロットのみが備えられてよい。
そして、サブボード１６３は、接続された保存媒体の動作有無を表示するＬＥＤのような表示素子が備えられてよい。このような表示素子は、保存媒体の動作有無及びエラー有無等を表示することで、管理者が数多くの保存媒体のうち、故障した保存媒体を簡単に見つけられるようにする。
【００６１】
ブラケット１６４は、２つの保存媒体とサブボード１６３とをボード部に固定する。
以上のように、保存媒体がスロットを通じてボード部と接続され得るため、保存媒体に対するホットスワップ（ｈｏｔ  ｓｗａｐ）をサポートすることができる。ここで、ホットスワップは、運用中の全システムの動作には影響を及ぼさずに装置や部品を取り替えることができる機能である。
本実施形態では、サブボードを通じて保存媒体がボード部１１０と接続されるものとして説明したが、ストレージシステム１００の高さがＨＤＤの長さ（横、縦及び高さのうち、最も長い長さ）より高い場合には、サブボードを利用することなく、保存媒体を立てて垂直にボード部１１０に装着することができる。このとき、保存媒体の動作有無を表示するＬＥＤのような表示素子はボード部１１０上に配置されてよい。
【００６２】
図１０は、ＢＭＣ部、マイコン部及びセンサ部の間の接続方式を説明するための図である。
図１０を参照すると、センサ部１４０は複数のセンサを備える。複数のセンサは２つのグループに区分され、第１グループのセンサは第１マイコン１８０−１に接続され、第２グループのセンサは第２マイコン１８０−２に接続される。
第１マイコン１８０−１は、第１グループのセンサのセンシング値を読み取り、ＢＭＣ部１９０に提供する。第２マイコン１８０−２は、第２グループのセンサのセンシング値を読み取り、ＢＭＣ部１９０に提供する。
ＢＭＣ部１９０は、第１マイコン１８０−１及び第２マイコン１８０−２を介して受信した温度情報を用いて、ファン部１５０を制御することができる。
【００６３】
図１１は、補助コネクタを説明するための図である。
補助コネクタ１１５は、従来のＩ／Ｏ制御部と保存媒体とを接続するためのコネクタである。具体的に、従来技術欄で説明したように、従来はケーブルを通じてＩ／Ｏ制御部と保存媒体とを接続した。
よって、本実施形態では、従来のＩ／Ｏ制御部との互換のために、すなわち、従来のＩ／Ｏ制御部はケーブルのみを用いて保存媒体と接続できるため、ボード部１１０の一側に保存媒体とＩ／Ｏ制御部との間の配線パターンと接続する補助コネクタ１１５を配置した。
そして、補助コネクタ１１５は、ストレージシステム１００内の空気の流れを妨害しないよう、ボード部１１０の両端に配置される。このような補助コネクタは、４ｐｏｒｔ  ＳＡＴＡ／ＳＡＳコネクタであってよい。
一方、このような補助コネクタは、互換性のためのものであるだけで、必需構成ではないため、実現時に省略されてよい。
【００６４】
図１２は、本実施形態による信号処理部を説明するための図である。
シリアルバスは、１回に１つのビット単位でデータを伝送するインターフェースを意味し、最近のシリアルバスは高速で動作する点において、ＩＳＩ（Ｉｎｔｅｒ−ｓｙｍｂｏｌ−Ｉｎｔｅｒｆｅｒｅｎｃｅ、または符号間干渉）、表皮効果（Ｓｋｉｎ−Ｅｆｆｅｃｔ、または電波効果）、誘電損失（ｅｌｅｃｔｒｉｃ  ｌｏｓｓ）等が発生する。ここで、表皮効果は、伝導性の強い物質に交流電流が流れる際、観察される伝導度の減少または電気抵抗の増加現象を意味し、誘電損失は、誘電体に交流電界を加えた際に生じる損失である。そして、ＩＳＩは、伝送路や増幅器による帯域制限や伝送路の位相特性の非直線性により、或るタイムスロットのシンボル波形が他のタイムスロットのシンボル波形に影響を及ぼす干渉を意味する。
【００６５】
このようなＩＳＩは、ディエンファシス（Ｄｅ−ｅｍｐｈａｓｉｓ）技術またはイコライザ（ｅｑｕａｌｉｚｅｒ）技術を用いて、補正を行うことができる。具体的に、シリアルバスの送信端（例えば、保存媒体の出力端（Ｔｘ）、Ｉ／Ｏ制御部の出力端）では、ディエンファシス技術を用いてＩＳＩの影響を考慮して信号を伝送し、シリアルバスの受信端（例えば、保存媒体の受信端（Ｒｘ）、Ｉ／Ｏ制御部の受信端）では、イコライザ技術を用いて受信された波形を改善することができる。
そこで、信号処理部（１０３、１０４）は、ボード部１１０に配置され、保存部１６０またはＩ／Ｏ制御部１７０で送信される信号に対してディエンファシス処理を行う。そして、保存部１６０またはＩ／Ｏ制御部１７０で受信される信号に対してイコライザ処理を行うことができる。
【００６６】
図１３は、本ストレージシステムの空気の流れのシミュレーション結果を示す図であり、図１４は、本ストレージシステムの発熱シミュレーション結果を示す図である。そして、図１５は、従来のストレージシステムの発熱シミュレーション結果を示す図である。
図１３を参照すると、本実施形態によるストレージシステムは内部にケーブルが存在しなくなることで、システム内の空気の流れが円滑であることを確認することができる。
そして、図１４及び図１５を参照すると、本実施形態に係るストレージシステムは空気の流れが円滑で、従来より低い温度を有することを確認することができる。
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００６７】
１０    サーバ
１００    ストレージシステム
１１０    ボード部
１２０    電源部
１３０    通信部
１４０    センサ部
１５０    ファン部
１６０    保存部
１７０    Ｉ／Ｏ制御部
１８０    マイコン部
１９０    ＢＭＣ部
１０００    サーバシステム
【図１】
2015084222.tif 000005
【図２】
2015084222.tif 000006
【図３】
2015084222.tif 000007
【図４】
2015084222.tif 000008
【図５】
2015084222.tif 000009
【図６】
2015084222.tif 000010
【図７】
2015084222.tif 000011
【図８】
2015084222.tif 000012
【図９】
2015084222.tif 000013
【図１０】
2015084222.tif 000014
【図１１】
2015084222.tif 000015
【図１２】
2015084222.tif 000016
【図１３】
2015084222.tif 000017
【図１４】
2015084222.tif 000018
【図１５】
2015084222.tif 000019